【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
向上した重量対強度比を有する、製造品であって、
密閉内側チャンバを形成する少なくとも１つの壁を有する、構造と、
前記構造の前記重量対強度比を向上させるための前記密閉内側チャンバ内に位置するガスと、
前記密閉内側チャンバ内に位置する密閉ブラダであって、前記密閉ブラダは、前記ガスを含有し、前記密閉内側チャンバの前記ガスは、前記密閉ブラダの全体を囲繞する、密閉ブラダと
を備える、製造品。
【請求項２】
前記密閉内側チャンバは、圧力下で前記チャンバ内に前記ガスを有する、請求項１に記載の製造品。
【請求項３】
前記密閉内側チャンバの前記圧力は、陽圧または１気圧の中立圧力のいずれか一方である、請求項２に記載の製造品。
【請求項４】
前記密閉内側チャンバは、少なくとも１つのポートを含有し、前記ポートは、前記密閉内側チャンバを形成する前記少なくとも１つの壁の少なくとも１つの開口部を通って延在する、一方の端部を有し、前記ポートは、前記内側チャンバの中へのガスの添加を可能にし、または前記内側チャンバから外へのガスの漏出を可能にする、弁を有し、前記ポートは、前記構造の前記少なくとも１つの壁の前記開口部と密閉係合している、請求項１に記載の製造品。
【請求項５】
前記ポートは、前記構造の前記壁の外部にある第１の端部を有し、前記ポートの前記第１の端部は、前記ポートの前記一方の端部と密閉係合している管の第１の端部に適応し、前記管は、第２の端部を有し、前記管の前記第２の端部は、圧縮機またはガス貯蔵シリンダの出口に適応し、前記圧縮機または前記ガス貯蔵シリンダの前記出口は、前記管の前記第２の端部と密閉係合し、前記圧縮機またはガス貯蔵シリンダは、前記管を通して、および前記管から前記ポートの中へ、ならびに前記ポートの前記弁を通して、圧力下のガスを供給し、前記弁は、前記内側チャンバの中への開放位置にあることを含む、請求項４に記載の製造品。
【請求項６】
前記密閉内側チャンバは、１〜１２気圧の内圧の作業範囲を有する、請求項１に記載の製造品。
【請求項７】
前記密閉ブラダは、圧力下の前記ガスを有する、請求項１に記載の製造品。
【請求項８】
前記密閉ブラダの前記圧力は、陽圧または１気圧の中立圧力のいずれか一方である、請求項７に記載の製造品。
【請求項９】
前記密閉ブラダは、少なくとも１つのポートを有し、前記ポートは、前記密閉ブラダの前記壁の少なくとも１つの開口部を通って、および前記密閉内側チャンバの前記壁の少なくとも１つの開口部を通って延在する、一方の端部を有し、前記ポートは、前記密閉ブラダの中へのガスの添加を可能にし、または前記密閉ブラダから外へのガスの漏出を可能にする、少なくとも１つの弁を有し、前記ポートは、前記密閉ブラダの前記壁の前記開口部、または前記密閉内側チャンバの前記壁の前記開口部、もしくは前記密閉ブラダの前記壁の前記開口部および前記密閉内側チャンバの前記壁の前記開口部と密閉係合している、請求項７に記載の製造品。
【請求項１０】
前記ポートの前記一方の端部は、前記内側チャンバの前記壁内の前記開口部を通って延在し、前記ポートの前記一方の端部は、管の第１の端部に適応し、前記管の前記第１の端部は、前記ポートの前記一方の端部と密閉係合し、前記管は、第２の端部を有し、前記管の前記第２の端部は、圧縮機またはガス貯蔵シリンダの出口に適応し、前記圧縮機または前記ガス貯蔵シリンダの前記出口は、前記管の前記第２の端部と密閉係合し、前記圧縮機またはガス貯蔵シリンダは、前記管を通して前記ポートの中へ、および前記密閉ブラダの中への開放位置にある前記ポートの前記弁を通して、圧力下のガスを供給することを含む、請求項９に記載の製造品。
【請求項１１】
前記密閉内側チャンバ内の前記ガスの前記圧力を監視するための前記密閉内側チャンバ内に位置する１つまたはそれを上回るセンサを含む、請求項２に記載の製造品。
【請求項１２】
前記密閉内側チャンバ内の前記ガスの前記圧力を監視するための前記密閉内側チャンバ内に位置する１つまたはそれを上回るセンサを含む、請求項５に記載の製造品。
【請求項１３】
前記密閉ブラダ内の前記圧力を監視するための前記密閉ブラダ内に位置する１つまたはそれを上回るセンサを含む、請求項７に記載の製造品。
【請求項１４】
前記密閉ブラダ内の前記圧力を監視するための前記密閉ブラダ内に位置する１つまたはそれを上回るセンサを含む、請求項１０に記載の製造品。
【請求項１５】
前記密閉内側チャンバ内の前記圧力を監視するために、前記密閉内側チャンバ内に位置する１つまたはそれを上回るセンサと、前記密閉ブラダ内に位置する１つまたはそれを上回るセンサとを含む、請求項１０に記載の製造品。
【請求項１６】
前記１つまたはそれを上回るセンサから前記コンピュータに伝送されるデータを受信するためのコンピュータを含み、前記コンピュータは、前記圧縮機または前記ガス貯蔵シリンダおよび前記ポートの前記弁とインターフェース接続され、前記コンピュータは、前記圧縮機またはガス貯蔵シリンダおよび前記ポートの前記弁の起動によって、前記圧力を前記内側チャンバ内で所望のレベルに調節または維持する、請求項１２に記載の製造品。
【請求項１７】
前記１つまたはそれを上回るセンサから前記コンピュータに伝送されるデータを受信するためのコンピュータを含み、前記コンピュータは、前記圧縮機または前記ガス貯蔵シリンダおよび前記ポートの前記弁とインターフェース接続され、前記コンピュータは、前記圧縮機または前記ガス貯蔵シリンダおよび前記ポートの前記弁の起動によって、前記圧力を前記内側チャンバ内で所望のレベルに調節または維持する、請求項１４に記載の製造品。
【請求項１８】
向上した重量対強度比を有する製造品を作製する方法であって、
密閉内側チャンバを形成する少なくとも１つの壁を有する構造と、前記密閉内側チャンバ内に位置する密閉ブラダとを提供することを含む、向上した重量対強度比を有する製造品を形成することと、
向上した重量対強度比を有する製造品を作製するために、前記密閉内側チャンバ内にガスを挿入することと、
前記密閉ブラダ内に前記ガスを挿入することと
を含む、方法。
【請求項１９】
前記密閉内側チャンバは、圧力下で前記チャンバ内に前記ガスを有する、請求項１８に記載の方法。
【請求項２０】
前記密閉内側チャンバの前記圧力は、陽圧または１気圧の中立圧力のいずれか一方である、請求項１９に記載の方法。
【請求項２１】
ポートを前記密閉内側チャンバに提供することを含み、前記ポートは、前記密閉内側チャンバの前記少なくとも１つの壁の少なくとも１つの開口部を通って延在する、一方の端部を有し、前記ポートは、前記内側チャンバの中へのガスの添加を可能にし、または前記内側チャンバから外へのガスの漏出を可能にする、弁を有する、請求項１８に記載の方法。
【請求項２２】
前記構造の前記壁の外部にある一方の端部を有する、前記ポートを提供することを含み、前記ポートの前記一方の端部は、ガスを受容するための管の第１の端部に適応する、請求項２１に記載の方法。
【請求項２３】
前記密閉内側チャンバ内の前記ガスの前記圧力を監視するための前記密閉内側チャンバ内に位置する１つまたはそれを上回るセンサを提供することを含む、請求項１９に記載の方法。
【請求項２４】
前記密閉内側チャンバ内の前記ガスの前記圧力を監視するために、前記１つまたはそれを上回るセンサを前記内側チャンバの前記壁の内部に搭載することを含む、請求項２３に記載の方法。
【請求項２５】
前記密閉内側チャンバ内の前記圧力に関して、データをコンピュータに伝送するための前記センサをコンピュータに提供することを含む、請求項２３に記載の方法。
【請求項２６】
前記１つまたはそれを上回るセンサから前記コンピュータに伝送されるデータを受信するための前記コンピュータを提供することと、コンピュータインターフェースを前記コンピュータに提供することとを含み、前記コンピュータインターフェースは、圧縮機またはガス貯蔵シリンダおよび前記ポートの前記弁にリンクされ、前記圧縮機または前記ガス貯蔵シリンダは、管の第１の端部と通信し、前記管の第２の端部は、前記ポートと通信し、前記コンピュータは、前記管を通して前記ガスを送信する、前記圧縮機または前記ガス貯蔵シリンダの起動、および前記管の前記第２の端部から前記ポートの開放弁を通して前記密閉内側チャンバの中へ前記ガスが流動することを可能にする、開放位置への前記弁の起動によって、前記圧力を前記内側チャンバ内で所望のレベルに調節または維持する、請求項２５に記載の方法。
【請求項２７】
向上した重量対強度比を有する製造品を作製する方法であって、
内側チャンバを形成するための少なくとも１つの壁を有する、構造を提供することと、
前記内側チャンバ内に密閉ブラダを挿入することと、
前記ブラダを密閉することに先立って、および前記内側チャンバに前記密閉ブラダを挿入することに先立って、前記ブラダ内にガスを配置することと、
向上した重量対強度比を有する製造品を作製するための前記ブラダを有する、密閉内側チャンバを形成するために、前記内側チャンバ内に位置する前記ブラダを有する、前記構造の前記内側チャンバを密閉することと
を含む、方法。
【請求項２８】
前記内側チャンバを密閉することに先立って、前記内側チャンバ内にガスを配置することを含む、請求項２７に記載の方法。
【請求項２９】
前記密閉ブラダの中で圧力下の前記ガスを提供することを含む、請求項２８に記載の方法。
【請求項３０】
前記密閉ブラダ内で、陽圧または１気圧の中立圧力のいずれか一方において前記ガスを提供することを含む、請求項２９に記載の方法。
【請求項３１】
前記密閉ブラダの壁内に位置するポートを提供することを含み、前記ポートは、前記密閉ブラダの前記壁の少なくとも１つの開口部を通って、および前記構造の前記密閉内側チャンバの前記少なくとも１つの壁内の少なくとも１つの開口部を通って延在する、一方の端部を有し、前記ポートは、前記密閉ブラダの中へのガスの添加を可能にし、または前記密閉ブラダから外へのガスの漏出を可能にする、弁を有し、前記ポートは、前記密閉ブラダの前記壁の前記開口部および前記構造の前記内側チャンバの前記壁の前記開口部と密閉係合している、請求項２７に記載の方法。
【請求項３２】
前記構造の前記壁の前記開口部の外部にある一方の端部を有する、前記ポートを提供することを含み、前記ポートの前記一方の端部は、ガスを受容するための管の第１の端部に適応する、請求項３１に記載の方法。
【請求項３３】
前記密閉内側チャンバ内の前記ガスの前記圧力を監視するための前記密閉内側チャンバ内に位置する１つまたはそれを上回るセンサを提供することを含む、請求項２７に記載の方法。
【請求項３４】
前記密閉内側チャンバ内の前記ガスの前記圧力を監視するために、前記１つまたはそれを上回るセンサを前記内側チャンバの前記壁の内部に搭載することを含む、請求項３３に記載の方法。
【請求項３５】
前記密閉内側チャンバ内の前記圧力に関して、データをコンピュータに伝送するための前記センサをコンピュータに提供することを含む、請求項３３に記載の方法。
【請求項３６】
前記１つまたはそれを上回るセンサから前記コンピュータに伝送されるデータを受信するための前記コンピュータを提供することと、コンピュータインターフェースを前記コンピュータに提供することとを含み、前記コンピュータインターフェースは、圧縮機またはガス貯蔵シリンダおよび前記ポートの前記弁にリンクされ、前記圧縮機または前記ガス貯蔵シリンダは、管の第１の端部と通信し、前記管の第２の端部は、前記ポートの前記一方の端部と通信し、前記コンピュータは、前記管を通して前記ポートの前記一方の端部の中へ、および開放位置にある前記ポートの前記弁を通して前記ガスを送信する、前記圧縮機または前記ガス貯蔵シリンダの起動によって、前記圧力を前記内側チャンバの前記ブラダ内で所望のレベルに調節または維持し、前記コンピュータによって起動される前記弁は、前記管の前記第２の端部から前記ポートの前記開放弁を通して前記密閉内側チャンバの前記密閉ブラダの中へ前記ガスが流動することを可能にする、請求項３５に記載の方法。
【請求項３７】
前記密閉内側チャンバ、前記密閉ブラダ、または前記内側チャンバおよび前記密閉ブラダの前記圧力を監視するために、前記密閉内側チャンバ内に位置する１つまたはそれを上回るセンサと、前記密閉ブラダ内に位置する１つまたはそれを上回るセンサとを提供することを含む、請求項３６に記載の方法。
【請求項３８】
前記製造品は、自動車、トラック、工業機器、鉄道車両、ボート、航空機、自転車、一輪車、三輪車、デバイス、フレーム、建設構成要素、電子構成要素、包装、および武器の群から選択される、１つまたはそれを上回るものであることを含む、請求項１に記載の製造品。
【請求項３９】
前記製造品は、自動車、トラック、工業機器、鉄道車両、ボート、航空機、自転車、一輪車、三輪車、デバイス、フレーム、建設構成要素、電子構成要素、包装、および武器の群から選択される、１つまたはそれを上回るものであることを含む、請求項６に記載の製造品。
【請求項４０】
向上した重量対強度比を有する、製造品であって、
密閉内側チャンバを形成する少なくとも１つの壁を有する構造、および前記密閉内側チャンバ内に位置するガスと、
前記密閉内側チャンバ内に位置する、収縮位置にあるブラダであって、前記収縮ブラダは、センサから信号を受信すると、前記収縮ブラダを膨張させるようにガスを産生する、膨張システムを有し、前記センサは、随意に、コンピュータプロセッサにリンクされ、前記密閉内側チャンバの前記ガスは、前記密閉ブラダの全体を囲繞する、ブラダと
を備える、製造品。
【請求項４１】
前記センサは、前記密閉内側チャンバの外部または前記密閉内側チャンバ内のいずれかに位置する、請求項４０に記載の製造品。
【請求項４２】
前記膨張システムは、固体推進剤と、点火器とを備える、請求項４０に記載の製造品。
【請求項４３】
前記点火器は、前記固体推進剤にガスを産生させる信号を前記センサから受信し、前記ガスは、圧力下の膨張エアバッグまで前記収縮ブラダを膨張させる、請求項４２に記載の製造品。
【請求項４４】
前記固体推進剤は、アジ化ナトリウム（ＮａＮ３）および硝酸カリウム（ＫＮＯ３）である、請求項４３に記載の製造品。
【請求項４５】
前記点火器は、窒素ガスを産生するように、アジ化ナトリウム（ＮａＮ３）および硝酸カリウム（ＫＮＯ３）の前記固体推進剤を反応させる、信号を前記センサから受信し、前記窒素ガスは、圧力下で膨張ブラダまで前記収縮ブラダを膨張させる、請求項４４に記載の製造品。
【請求項４６】
前記膨張ブラダの前記圧力は、陽圧または１気圧の中立圧力のいずれか一方である、請求項４３に記載の製造品。
【請求項４７】
前記膨張ブラダの前記圧力は、陽圧または１気圧の中立圧力のいずれか一方である、請求項４５に記載の製造品。
【請求項４８】
密閉内側チャンバを形成する少なくとも１つの壁を有する構造と、前記密閉内側チャンバ内に位置するガスとを提供する、開示される製造品であって、（ｉ）前記ガスで充填される膨張ブラダは、前記密閉内側チャンバ内に位置するか、または（ｉｉ）収縮位置にあるブラダは、前記密閉内側チャンバ内に位置し、前記収縮ブラダは、センサから信号を受信すると、前記収縮ブラダを膨張させるようにガスを産生する、膨張システムを有し、前記センサは、随意に、コンピュータプロセッサにリンクされるか、または（ｉｉｉ）前記密閉内側チャンバは、付加的な添加ガスを有していないが、１ａｔｍ標準正常圧力にあり、センサから信号を受信すると、前記内側チャンバを加圧するようにガスを産生する、膨張システムを有し、前記センサは、随意に、コンピュータプロセッサにリンクされるかのいずれかである、製造品。
【請求項４９】
向上した重量対強度比を有する、製造品であって、
密閉内側チャンバを形成する少なくとも１つの壁を有する構造と、
前記構造の前記重量対強度比を向上させるための前記密閉内側チャンバ内に位置するガスであって、前記チャンバ内の前記ガスは、圧力下である、ガスと
を備える、製造品。
【請求項５０】
前記密閉内側チャンバの前記圧力は、陽圧または１気圧の中立圧力のいずれか一方である、請求項４９に記載の製造品。
【請求項５１】
前記密閉内側チャンバは、少なくとも１つのポートを含有し、前記ポートは、前記密閉内側チャンバを形成する前記少なくとも１つの壁の少なくとも１つの開口部を通って延在する、一方の端部を有し、前記ポートは、前記内側チャンバの中へのガスの添加を可能にし、または前記内側チャンバから外へのガスの漏出を可能にする、弁を有し、前記ポートは、前記構造の前記少なくとも１つの壁の前記開口部と密閉係合している、請求項４９に記載の製造品。
【請求項５２】
前記ポートは、前記構造の前記壁の外部にある第１の端部を有し、前記ポートの前記第１の端部は、前記ポートの前記一方の端部と密閉係合している管の第１の端部に適応し、前記管は、第２の端部を有し、前記管の前記第２の端部は、圧縮機またはガス貯蔵シリンダの出口に適応し、前記圧縮機または前記ガス貯蔵シリンダの前記出口は、前記管の前記第２の端部と密閉係合し、前記圧縮機またはガス貯蔵シリンダは、前記管を通して、および前記管から前記ポートの中へ、ならびに前記ポートの前記弁を通して、圧力下のガスを供給し、前記弁は、前記内側チャンバの中への開放位置にあることを含む、請求項５１に記載の製造品。
【請求項５３】
前記内側チャンバは、１〜１２気圧の圧力の作業範囲を有する、請求項４９に記載の製造品。
【手続補正２】
【補正対象書類名】明細書
【補正対象項目名】００１９
【補正方法】変更
【補正の内容】
【００１９】
従来、強度を増加させるように材料の量を増加させることは、元の強度目標のために必要とされる余分な材料を支持するためだけに、より多くの材料を必要とすることももたらす。本発明の使用は、例えば、限定されないが、向上した安全性、燃料走行可能距離、性能、および強度基準を達成しながら、より低い重量およびより低い製造費用を有する、改良型車両設計を提供する。
本願明細書は、例えば、以下の項目も提供する。
（項目１）
向上した重量対強度比を有する、製造品であって、
密閉内側チャンバを形成する少なくとも１つの壁を有する、構造と、
前記構造の前記重量対強度比を向上させるための前記密閉内側チャンバ内に位置するガスと、
を備える、製造品。
（項目２）
前記密閉内側チャンバは、圧力下で前記チャンバ内に前記ガスを有する、項目１に記載の製造品。
（項目３）
前記密閉内側チャンバの前記圧力は、陽圧または１気圧の中立圧力のいずれか一方である、項目２に記載の製造品。
（項目４）
前記密閉内側チャンバは、少なくとも１つのポートを含有し、前記ポートは、前記密閉内側チャンバを形成する前記少なくとも１つの壁の少なくとも１つの開口部を通って延在する、一方の端部を有し、前記ポートは、前記内側チャンバの中へのガスの添加を可能にし、または前記内側チャンバから外へのガスの漏出を可能にする、弁を有し、前記ポートは、前記構造の前記少なくとも１つの壁の前記開口部と密閉係合している、項目１に記載の製造品。
（項目５）
前記ポートが、前記構造の前記壁の外部にある第１の端部を有し、前記ポートの前記第１の端部が、前記ポートの前記一方の端部と密閉係合している管の第１の端部に適応し、前記管が、第２の端部を有し、前記管の前記第２の端部が、圧縮機またはガス貯蔵シリンダの出口に適応し、前記圧縮機または前記ガス貯蔵シリンダの前記出口が、前記管の前記第２の端部と密閉係合し、前記圧縮機またはガス貯蔵シリンダが、前記管を通して、および前記管から前記ポートの中へ、ならびに前記ポートの前記弁を通して、圧力下のガスを供給し、前記弁が、前記内側チャンバの中への開放位置にあることを含む、項目４に記載の製造品。
（項目６）
前記密閉内側チャンバ内に位置する密閉ブラダを有し、前記密閉ブラダは、前記ガスを含有する、項目１に記載の製造品。
（項目７）
前記密閉ブラダは、前記圧力下のガスを有する、項目６に記載の製造品。
（項目８）
前記密閉ブラダの前記圧力は、陽圧または１気圧の中立圧力のいずれか一方である、項目７に記載の製造品。
（項目９）
前記密閉ブラダは、少なくとも１つのポートを有し、前記ポートは、前記密閉ブラダの前記壁の少なくとも１つの開口部を通って、および前記密閉内側チャンバの前記壁の少なくとも１つの開口部を通って延在する、一方の端部を有し、前記ポートは、前記密閉ブラダの中へのガスの添加を可能にし、または前記密閉ブラダから外へのガスの漏出を可能にする、少なくとも１つの弁を有し、前記ポートは、前記密閉ブラダの前記壁の前記開口部、または前記密閉内側チャンバの前記壁の前記開口部、もしくは前記密閉ブラダの前記壁の前記開口部および前記密閉内側チャンバの前記壁の前記開口部と密閉係合している、項目７に記載の製造品。
（項目１０）
前記ポートの前記一方の端部が、前記内側チャンバの前記壁内の前記開口部を通って延在し、前記ポートの前記一方の端部が、管の第１の端部に適応し、前記管の前記第１の端部が、前記ポートの前記一方の端部と密閉係合し、前記管が、第２の端部を有し、前記管の前記第２の端部が、圧縮機またはガス貯蔵シリンダの出口に適応し、前記圧縮機または前記ガス貯蔵シリンダの前記出口が、前記管の前記第２の端部と密閉係合し、前記圧縮機またはガス貯蔵シリンダが、前記管を通して前記ポートの中へ、および前記密閉ブラダの中への開放位置にある前記ポートの前記弁を通して、圧力下のガスを供給することを含む、項目９に記載の製造品。
（項目１１）
前記密閉内側チャンバ内の前記ガスの前記圧力を監視するための前記密閉内側チャンバ内に位置する１つまたはそれを上回るセンサを含む、項目２に記載の製造品。
（項目１２）
前記密閉内側チャンバ内の前記ガスの前記圧力を監視するための前記密閉内側チャンバ内に位置する１つまたはそれを上回るセンサを含む、項目５に記載の製造品。
（項目１３）
前記密閉ブラダ内の前記圧力を監視するための前記密閉ブラダ内に位置する１つまたはそれを上回るセンサを含む、項目７に記載の製造品。
（項目１４）
前記密閉ブラダ内の前記圧力を監視するための前記密閉ブラダ内に位置する１つまたはそれを上回るセンサを含む、項目１０に記載の製造品。
（項目１５）
前記密閉内側チャンバ内に位置する１つまたはそれを上回るセンサと、前記密閉内側チャンバ内の前記圧力を監視するための前記密閉ブラダ内に位置する１つまたはそれを上回るセンサとを含む、項目１０に記載の製造品。
（項目１６）
前記１つまたはそれを上回るセンサから前記コンピュータに伝送されるデータを受信するためのコンピュータを含み、前記コンピュータは、前記圧縮機または前記ガス貯蔵シリンダおよび前記ポートの前記弁とインターフェース接続され、前記コンピュータは、前記圧縮機またはガス貯蔵シリンダおよび前記ポートの前記弁の起動によって、前記圧力を前記内側チャンバ内で所望のレベルに調節または維持する、項目１２に記載の製造品。
（項目１７）
前記１つまたはそれを上回るセンサから前記コンピュータに伝送されるデータを受信するためのコンピュータを含み、前記コンピュータは、前記圧縮機または前記ガス貯蔵シリンダおよび前記ポートの前記弁とインターフェース接続され、前記コンピュータは、前記圧縮機または前記ガス貯蔵シリンダおよび前記ポートの前記弁の起動によって、前記圧力を前記内側チャンバ内で所望のレベルに調節または維持する、項目１４に記載の製造品。
（項目１８）
向上した重量対強度比を有する製造品を作製する方法であって、
密閉内側チャンバを形成する少なくとも１つの壁を有する、構造を備える、向上した重量対強度比を有する製造品を形成するステップと、
向上した重量対強度比を有する製造品を作製するために、前記密閉内側チャンバ内にガスを挿入するステップと、
を含む、方法。
（項目１９）
前記密閉内側チャンバは、圧力下で前記チャンバ内に前記ガスを有する、項目１８に記載の方法。
（項目２０）
前記密閉内側チャンバの前記圧力は、陽圧または１気圧の中立圧力のいずれか一方である、項目１９に記載の方法。
（項目２１）
ポートを前記密閉内側チャンバに提供するステップを含み、前記ポートは、前記密閉内側チャンバの前記少なくとも１つの壁の少なくとも１つの開口部を通って延在する、一方の端部を有し、前記ポートは、前記内側チャンバの中へのガスの添加を可能にし、または前記内側チャンバから外へのガスの漏出を可能にする、弁を有する、項目１８に記載の方法。
（項目２２）
前記構造の前記壁の外部にある一方の端部を有する、前記ポートを提供するステップを含み、前記ポートの前記一方の端部は、ガスを受容するための管の第１の端部に適応する、項目２１に記載の方法。
（項目２３）
前記密閉内側チャンバ内の前記ガスの前記圧力を監視するための前記密閉内側チャンバ内に位置する１つまたはそれを上回るセンサを提供するステップを含む、項目１９に記載の方法。
（項目２４）
前記密閉内側チャンバ内の前記ガスの前記圧力を監視するために、前記１つまたはそれを上回るセンサを前記内側チャンバの前記壁の内部に搭載するステップを含む、項目２３に記載の方法。
（項目２５）
前記密閉内側チャンバ内の前記圧力に関して、データをコンピュータに伝送するための前記センサをコンピュータに提供するステップを含む、項目２３に記載の方法。
（項目２６）
前記１つまたはそれを上回るセンサから前記コンピュータに伝送されるデータを受信するための前記コンピュータを提供するステップと、コンピュータインターフェースを前記コンピュータに提供するステップとを含み、前記コンピュータインターフェースは、圧縮機またはガス貯蔵シリンダおよび前記ポートの前記弁にリンクされ、前記圧縮機または前記ガス貯蔵シリンダは、管の第１の端部と通信し、前記管の第２の端部は、前記ポートと通信し、前記コンピュータは、前記管を通して前記ガスを送信する、前記圧縮機または前記ガス貯蔵シリンダの起動、および前記管の前記第２の端部から前記ポートの開放弁を通して前記密閉内側チャンバの中へ前記ガスが流動することを可能にする、開放位置への前記弁の起動によって、前記圧力を前記内側チャンバ内で所望のレベルに調節または維持する、項目２５に記載の方法。
（項目２７）
向上した重量対強度比を有する製造品を作製する方法であって、
内側チャンバを形成するための少なくとも１つの壁を有する、構造を提供するステップと、
前記内側チャンバ内に密閉ブラダを挿入するステップと、
向上した重量対強度比を有する製造品を作製するための前記ブラダを有する、密閉内側チャンバを形成するために、前記内側チャンバ内に位置する前記ブラダを有する、前記構造の前記内側チャンバを密閉するステップと、
を含む、方法。
（項目２８）
前記ブラダを密閉するステップに先立って、および前記内側チャンバに前記密閉ブラダを挿入するステップに先立って、前記ブラダ内にガスを配置するステップを含む、項目２７に記載の方法。
（項目２９）
前記密閉ブラダの中で前記圧力下のガスを提供するステップを含む、項目２８に記載の方法。
（項目３０）
前記密閉ブラダ内で、陽圧または１気圧の中立圧力のいずれか一方において前記ガスを提供するステップを含む、項目２９に記載の方法。
（項目３１）
前記密閉ブラダの壁内に位置するポートを提供するステップを含み、前記ポートは、前記密閉ブラダの前記壁の少なくとも１つの開口部を通って、および前記構造の前記密閉内側チャンバの前記少なくとも１つの壁内の少なくとも１つの開口部を通って延在する、一方の端部を有し、前記ポートは、前記密閉ブラダの中へのガスの添加を可能にし、または前記密閉ブラダから外へのガスの漏出を可能にする、弁を有し、前記ポートは、前記密閉ブラダの前記壁の前記開口部および前記構造の前記内側チャンバの前記壁の前記開口部と密閉係合している、項目２７に記載の方法。
（項目３２）
前記構造の前記壁の前記開口部の外部にある一方の端部を有する、前記ポートを提供するステップを含み、前記ポートの前記一方の端部は、ガスを受容するための管の第１の端部に適応する、項目３１に記載の方法。
（項目３３）
前記密閉内側チャンバ内の前記ガスの前記圧力を監視するための前記密閉内側チャンバ内に位置する１つまたはそれを上回るセンサを提供するステップを含む、項目２７に記載の方法。
（項目３４）
前記密閉内側チャンバ内の前記ガスの前記圧力を監視するために、前記１つまたはそれを上回るセンサを前記内側チャンバの前記壁の内部に搭載するステップを含む、項目３３に記載の方法。
（項目３５）
前記密閉内側チャンバ内の前記圧力に関して、データをコンピュータに伝送するための前記センサを提供するステップを含む、項目３３に記載の方法。
（項目３６）
前記１つまたはそれを上回るセンサから前記コンピュータに伝送されるデータを受信するための前記コンピュータを提供するステップと、コンピュータインターフェースを前記コンピュータに提供するステップとを含み、前記コンピュータインターフェースは、圧縮機またはガス貯蔵シリンダおよび前記ポートの前記弁にリンクされ、前記圧縮機または前記ガス貯蔵シリンダは、管の第１の端部と通信し、前記管の第２の端部は、前記ポートの前記一方の端部と通信し、前記コンピュータは、前記管を通して前記ポートの前記一方の端部の中へ、および開放位置にある前記ポートの前記弁を通して前記ガスを送信する、前記圧縮機または前記ガス貯蔵シリンダの起動によって、前記圧力を前記内側チャンバの前記ブラダ内で所望のレベルに調節または維持し、前記コンピュータによって起動される前記弁は、前記管の前記第２の端部から前記ポートの前記開放弁を通して前記密閉内側チャンバの前記密閉ブラダの中へ前記ガスが流動することを可能にする、項目３５に記載の方法。
（項目３７）
前記密閉内側チャンバ内に位置する１つまたはそれを上回るセンサ、ならびに前記密閉内側チャンバ、前記密閉ブラダ、または前記内側チャンバおよび前記密閉ブラダの前記圧力を監視するための前記密閉ブラダ内に位置する１つまたはそれを上回るセンサを提供するステップを含む、項目３６に記載の方法。
（項目３８）
前記製造品が、自動車、トラック、工業機器、鉄道車両、ボート、航空機、自転車、一輪車、三輪車、デバイス、フレーム、建設構成要素、電子構成要素、包装、および武器の群から選択される、１つまたはそれを上回るものであることを含む、項目１に記載の製造品。
（項目３９）
前記製造品が、自動車、トラック、工業機器、鉄道車両、ボート、航空機、自転車、一輪車、三輪車、デバイス、フレーム、建設構成要素、電子構成要素、包装、および武器の群から選択される、１つまたはそれを上回るものであることを含む、項目６に記載の製造品。
（項目４０）
向上した重量対強度比を有する、製造品であって、
密閉内側チャンバを形成する少なくとも１つの壁を有する、構造と、
前記密閉内側チャンバ内に位置する、収縮位置にあるブラダであって、前記収縮ブラダは、センサから信号を受信すると、前記収縮ブラダを膨張させるようにガスを産生する、膨張システムを有し、前記センサは、随意に、コンピュータプロセッサにリンクされる、ブラダと、
を備える、製造品。
（項目４１）
前記センサは、前記密閉内側チャンバの外部または前記密閉内側チャンバ内のいずれかに位置する、項目４０に記載の製造品。
（項目４２）
前記膨張システムは、固体推進剤と、点火器とを備える、項目４０に記載の製造品。
（項目４３）
前記点火器は、前記固体推進剤にガスを産生させる信号を前記センサから受信し、前記ガスは、圧力下の膨張エアバッグまで前記収縮ブラダを膨張させる、項目４２に記載の製造品。
（項目４４）
前記固体推進剤は、アジ化ナトリウム（ＮａＮ３）および硝酸カリウム（ＫＮＯ３）である、項目４３に記載の製造品。
（項目４５）
前記点火器は、窒素ガスを産生するように、アジ化ナトリウム（ＮａＮ３）および硝酸カリウム（ＫＮＯ３）の前記固体推進剤を反応させる、信号を前記センサから受信し、前記窒素ガスは、圧力下で膨張ブラダまで前記収縮ブラダを膨張させる、項目４４に記載の製造品。
（項目４６）
前記膨張ブラダの前記圧力は、陽圧または１気圧の中立圧力のいずれか一方である、項目４３に記載の製造品。
（項目４７）
前記膨張ブラダの前記圧力は、陽圧または１気圧の中立圧力のいずれか一方である、項目４５に記載の製造品。
（項目４８）
密閉内側チャンバを形成する少なくとも１つの壁を有する、構造を提供する、製造品が開示され、（ｉ）前記密閉内側チャンバは、圧力下のガスで充填されるか、または（ｉｉ）ガスで充填される膨張ブラダは、前記密閉内側チャンバ内に位置するかのいずれかであり、もしくは（ｉｉｉ）収縮位置にあるブラダは、前記密閉内側チャンバ内に位置し、前記収縮ブラダは、センサから信号を受信すると、前記収縮ブラダを膨張させるようにガスを産生する、膨張システムを有し、前記センサは、随意に、コンピュータプロセッサにリンクされ、または（ｉｖ）前記密閉内側チャンバは、付加的な添加ガスを有していないが、１ａｔｍ標準正常圧力にあり、センサから信号を受信すると、前記内側チャンバを加圧するようにガスを産生する、膨張システムを有し、前記センサは、随意に、コンピュータプロセッサにリンクされる、製造品。